(57)【要約】【課題】放射線撮影装置において、照射野を絞って撮影を行う場合における被写体への被曝量を低減する。【解決手段】位置合わせのためのマーカー３４が付与された被写体２を撮影する際に、被写体２に照射されるＸ線の照射領域Ａ１をコリメータ６を用いて調整する。コリメータ６は独立して移動可能な複数の放射線調整部材４０ａ〜４０ｄからなる。放射線調整部材４０ａ〜４０ｄは照射領域Ａ１を設定するための開口４２を形成するが、開口４２付近が薄くなるように段部４１ａ〜４１ｄが形成されている。これにより、開口４２を透過したＸ線による照射領域Ａ１の周囲には低Ｘ線領域Ａ２が存在することとなる。そして、マーカー３４を被写体２上の低Ｘ線領域Ａ２に付与することにより、被写体２のマーカー３４が付与された部分へのＸ線の照射量を低減できる。【選択図】図４
2011188972.tif 000002
【特許請求の範囲】
【請求項１】
マーカーが付与された被写体に放射線を照射する放射線源と、
前記被写体を透過した放射線を検出する検出手段と、
前記放射線源と前記被写体との間に設けられ、前記被写体上に前記放射線の照射領域を設定するための開口を形成し、前記照射領域の周囲に低放射線領域を存在させるよう、前記開口から離れるにしたがって前記放射線の透過量が小さくなるコリメータ手段であって、前記開口を変更可能に独立に移動可能な複数の放射線調整部材を有するコリメータ手段と、
前記マーカーの位置を検出するマーカー位置検出手段と、
前記マーカーの位置に応じて、前記低放射線領域を変更するよう前記放射線調整部材の位置を調整する調整手段とを備えたことを特徴とする放射線撮影装置。
【請求項２】
前記コリメータ手段が、前記開口から離れるにしたがって前記放射線の透過量が段階的に小さくなる手段であることを特徴とする請求項１記載の放射線撮影装置。
【請求項３】
前記コリメータ手段が、前記開口から離れるにしたがって前記放射線の透過量が漸次に小さくなる手段であることを特徴とする請求項１記載の放射線撮影装置。
【請求項４】
前記コリメータ手段が、前記開口の端部から所定範囲は前記放射線を所定量透過し、該所定範囲以外の部分は前記放射線を遮断する手段であることを特徴とする請求項１から３のいずれか１項記載の放射線撮影装置。
【請求項５】
前記放射線調整部材が、前記放射線が透過する方向において隣接し、前記開口を変更可能に独立に移動可能な第１および第２の放射線調整部材からなることを特徴とする請求項１から４のいずれか１項記載の放射線撮影装置。
【請求項６】
前記マーカーが前記低放射線領域に位置しない場合に警告を行う警告手段をさらに備えたことを特徴とする請求項１から５のいずれか１項記載の放射線撮影装置。
【請求項７】
前記放射線源を前記検出手段に対して相対的に移動させ、前記放射線源の移動による複数の線源位置において前記被写体に前記放射線を照射するトモシンセシス撮影を行って、前記複数の線源位置にそれぞれ対応する複数の撮影画像を取得する画像取得手段と、
前記複数の撮影画像を再構成することにより前記被写体の断層画像を生成する画像再構成手段とをさらに備えたことを特徴とする請求項１から６のいずれか１項記載の放射線撮影装置。
【発明の詳細な説明】
【技術分野】
【０００１】
本発明は、放射線の照射領域を調整する手段を備えた放射線撮影装置に関するものである。
【背景技術】
【０００２】
近年、Ｘ線撮影装置において、患部をより詳しく観察するために、Ｘ線管を移動させて異なる角度から被写体にＸ線を照射して撮影を行い、これにより取得した画像を加算して所望の断層面を強調した画像を得ることができるトモシンセシス撮影が提案されている。トモシンセシス撮影では、撮影装置の特性や必要な断層画像に応じて、Ｘ線管をＸ線検出器と平行に移動させたり、円や楕円の弧を描くように移動させて、異なる照射角で被写体を撮影した複数の撮影画像を取得して、これらの撮影画像を再構成して断層画像を生成する。
【０００３】
ところで、Ｘ線等の放射線を用いて撮影を行う際には、被写体の観察に必要のない部分に放射線を照射することによる人体への弊害およびそれら観察に不要な部分からの散乱光による画質性能の低下等を防止するために、放射線が被写体の必要な部分にのみ照射されるように、被写体上の放射線の照射領域（照射野）を制限する照射野絞りを使用して撮影を行うことが多い。このような照射野絞りを使用して撮影を行う撮影装置として、照射野を設定するための絞り装置（コリメータ）を、それぞれ独立に移動可能な複数の絞り羽根と、放射線量を減衰させる複数の補償フィルタとにより構成したものが提案されている（特許文献１参照）。
【０００４】
また、被写体の撮影部位に応じて、照射される放射線量を変更するために、放射線源と被写体との間に、断面がくさび形の放射線減衰部材を厚さを変更可能に配置した撮影装置も提案されている（特許文献２参照）。特許文献２に記載された装置によれば、撮影部位に応じた適切な線量の放射線を被写体に照射することができる。
【０００５】
また、頭部および頚部の撮影に対応できるように、肉厚が変化する部分を有し、外側へ向かうほど肉厚が薄くなる濃度補償フィルタを備えた撮影装置も提案されている（特許文献３参照）。特許文献３に記載された手法によれば、濃度補償フィルタによりハレーションが防止され、その結果、高画質の放射線画像を取得することができる。
【０００６】
一方、上述したトモシンセシス撮影を行う場合には、撮影により取得した複数の撮影画像を再構成する際に、各撮影画像の位置合わせが必要となる。このため、撮影時には、被写体にマーカーを付与し、マーカーが撮影されるように複数の撮影画像を取得することが行われている。このようにマーカーを被写体とともに撮影することにより、複数の撮影画像からマーカーを基準として断層画像を再構成することができる。また、トモシンセシス撮影行う際に、被写体とともにマーカーを撮影し、マーカーを用いて画像の歪みを補正しつつ、断層画像を再構成する手法も提案されている（特許文献４参照）。
【先行技術文献】
【特許文献】
【０００７】
【特許文献１】特開２００７−１５９９１３号公報
【特許文献２】特開平５−１６１６３９号公報
【特許文献３】特開平１１−１４２５９７号公報
【特許文献４】特開２００２−５３１２０９号公報
【発明の概要】
【発明が解決しようとする課題】
【０００８】
ところで、放射線撮影を行う場合には、患者の被曝量が不必要に増えることがないようにしなければならない。とくに、上述したトモシンセシス撮影は、１つの断層画像を再構成するために複数回の撮影を行うことから、被写体の被曝量が多くなるため、より一層の被曝量の低減が要求されている。一方、トモシンセシス撮影を行う場合には、複数の撮影画像の位置合わせを行うために被写体とともにマーカーを撮影する。マーカーは再構成された断層画像を用いての診断には影響がない部位に配置される。しかしながら、マーカーは撮影画像を再構成するために撮影画像に含ませる必要があるため、診断には必要がないものの、被写体上のマーカーが付与された部分にまで放射線を照射する必要があり、その結果、被写体の被曝量が多くなってしまう。
【０００９】
本発明は上記事情に鑑みなされたものであり、とくに照射野を絞って撮影を行う場合における被写体への被曝量を低減することを目的とする。
【課題を解決するための手段】
【００１０】
本発明による放射線撮影装置は、マーカーが付与された被写体に放射線を照射する放射線源と、
前記被写体を透過した放射線を検出する検出手段と、
前記放射線源と前記被写体との間に設けられ、前記被写体上に前記放射線の照射領域を設定するための開口を形成し、前記照射領域の周囲に低放射線領域を存在させるよう、前記開口から離れるにしたがって前記放射線の透過量が小さくなるコリメータ手段であって、前記開口を変更可能に独立に移動可能な複数の放射線調整部材を有するコリメータ手段と、
前記マーカーの位置を検出するマーカー位置検出手段と、
前記マーカーの位置に応じて、前記低放射線領域を変更するよう前記放射線調整部材の位置を調整する調整手段とを備えたことを特徴とするものである。
【００１１】
なお、本発明による放射線撮影装置においては、前記コリメータ手段を、前記開口から離れるにしたがって前記放射線の透過量が段階的に小さくなる手段としてもよい。
【００１２】
また、本発明による放射線撮影装置においては、前記コリメータ手段を、前記開口から離れるにしたがって前記放射線の透過量が漸次に小さくなる手段としてもよい。
【００１３】
また、本発明による放射線撮影装置においては、前記コリメータ手段を、前記開口の端部から所定範囲は前記放射線を所定量透過し、該所定範囲以外の部分は前記放射線を遮断する手段としてもよい。
【００１４】
また、本発明による放射線撮影装置においては、前記放射線調整部材を、前記放射線が透過する方向において隣接し、前記開口を変更可能に独立に移動可能な第１および第２の放射線調整部材からなるものとしてもよい。
【００１５】
また、本発明による放射線撮影装置においては、前記マーカーが前記低放射線領域に位置しない場合に警告を行う警告手段をさらに備えるものとしてもよい。
【００１６】
また、本発明による放射線撮影装置においては、前記放射線源を前記検出手段に対して相対的に移動させ、前記放射線源の移動による複数の線源位置において前記被写体に前記放射線を照射するトモシンセシス撮影を行って、前記複数の線源位置にそれぞれ対応する複数の撮影画像を取得する画像取得手段と、
前記複数の撮影画像を再構成することにより前記被写体の断層画像を生成する画像再構成手段とをさらに備えるものとしてもよい。
【発明の効果】
【００１７】
本発明によれば、放射線源から発せられた放射線は、コリメータ手段の開口を通過して、被写体に照射されて検出手段に検出される。このため、被写体上の診断に必要な照射領域に放射線を照射できる。また、コリメータ手段は、開口から離れるにしたがって放射線の透過量が小さくなるため、被写体上の照射領域の周囲に、照射される放射線量が小さい低放射線領域を存在させることができる。ここで、マーカーは位置合わせのために用いられることから、画像は鮮明である必要はなく、マーカーが存在する位置のみが分かればよいものである。したがって、低放射線領域に位置合わせのためのマーカーを配置することにより、被写体における診断に必要な部分およびマーカーの双方を含む撮影画像を取得することができる。したがって、マーカーの位置の情報を取得しつつも、被写体に照射される放射線量を低減でき、その結果、被写体の被曝量を低減することができる。
【００１８】
また、マーカーの位置を検出し、マーカーの位置に応じて、低放射線領域の位置を変更するよう放射線調整部材の位置を調整しているため、マーカーを低放射線領域に確実に位置させることができる。また、操作者の負担も軽減することができる。
【００１９】
また、コリメータ手段を、開口を変更可能に独立に移動可能な複数の放射線調整部材を有するものとしているため、開口の大きさを任意に変更することができる。
【００２０】
また、コリメータ手段を、開口から所定範囲以外の部分を放射線を遮断する手段とすることにより、被写体に不要に放射線が照射されてしまうことを防止できる。
【００２１】
この場合、放射線調整部材を、放射線が透過する方向において隣接する第１および第２の放射線調整部材からなるものとすることにより、開口の大きさのみならず、低放射線領域の大きさも任意に変更することができる。
【００２２】
また、マーカーが低放射線領域にない場合に警告を行うことにより、操作者はマーカーが低放射線領域にないことを知ることができる。したがって、マーカーが低放射線領域に位置するようにコリメータ手段を調整することができ、その結果、マーカーが照射領域に位置することによる、被写体への放射線の不要な照射を防止することができる。
【図面の簡単な説明】
【００２３】
【図１】本発明の第１の実施形態による放射線撮影装置を適用したＸ線撮影装置の概略図
【図２】被写体にマーカーが付与された状態を示す図
【図３】コリメータの構成を示す平面図
【図４】コリメータの構成を示す部分断面図
【図５】コリメータの構成を示す部分断面図
【図６】コリメータの構成を示す部分断面図
【図７】コリメータの構成を示す部分断面図
【図８】コリメータの構成を示す部分断面図
【図９】コリメータの構成を示す部分断面図
【図１０】コリメータの構成を示す部分断面図
【図１１】本発明の第２の実施形態による放射線撮影装置を適用したＸ線撮影装置の概略図
【図１２】Ｘ線管の移動に伴う低Ｘ線領域の移動を説明するための図
【図１３】Ｘ線管の移動に伴う低Ｘ線領域の移動を説明するための図
【図１４】識別素子を有するマーカーの位置の検出を説明するための図
【発明を実施するための形態】
【００２４】
以下、図面を参照して本発明の実施形態について説明する。図１は本発明の第１の実施形態による放射線撮影装置を適用したＸ線撮影装置の概略図である。図１に示すように、本実施形態によるＸ線撮影装置１０は、Ｘ線管１２およびフラットパネルＸ線検出器（以下、単に検出器とする）１４を備える。Ｘ線管１２は移動機構１６により直線または円弧に沿って移動し、移動経路上の複数の位置において、撮影台天板４上の被写体２にＸ線を照射する。本実施形態においては直線に沿って矢印Ａ方向にＸ線管１２を移動させるものとする。なお、被写体２へのＸ線照射量は後述する制御部により所定量となるように制御される。また、Ｘ線管１２にはコリメータ（照射野絞り）６が接続されており、被写体２へのＸ線の照射領域を操作者が設定できるようになっている。なお、コリメータ６の構成については後述する。
【００２５】
検出器１４は、被写体２を透過したＸ線を検出するために、被写体２を載置する撮影台天板４を間に挟んでＸ線管１２と対向するように配置されている。検出器１４は、移動機構１８により必要に応じて直線または円弧に沿って移動し、移動経路上の複数の位置において被写体２を透過したＸ線を検出する。本実施形態においては直線に沿って矢印Ｂ方向に検出器１４を移動させるものとする。
【００２６】
また、Ｘ線撮影装置１０は、画像取得部２０および再構成部２２を備える。画像取得部２０は、直線に沿ってＸ線管１２、さらには検出器１４を移動させて異なる角度から被写体２にＸ線を照射し、被写体２を透過したＸ線を検出器１４により検出して、移動中の複数の位置における複数の撮影画像を取得する。再構成部２２は、画像取得部２０が取得した複数の撮影画像を再構成することにより、被写体２の所望の断面を示す断層画像を生成する。
【００２７】
ここで、被写体２の撮影時には、図２に示すように位置合わせのための金属からなるマーカー３４が被写体２に付与され、マーカー２を含むようにコリメータ６によりＸ線の照射領域が設定されて撮影が行われる。そして、再構成部２２は、複数の撮影画像におけるマーカー３４の位置を検出し、検出したマーカー３４の位置を基準として複数の撮影画像の位置合わせを行いつつ複数の撮影画像を再構成して、断層画像を生成する。
【００２８】
また、Ｘ線撮影装置１０は、操作部２４、表示部２５および記憶部２６を備える。操作部２４はキーボード、マウスあるいはタッチパネル方式の入力装置からなり、操作者によるＸ線撮影装置１０の操作を受け付ける。本実施形態においては、操作者が操作部２４から入力した情報に従って、Ｘ線撮影装置１０の各部が動作する。表示部２５は液晶モニタ等の表示装置であり、画像取得部２０が取得した撮影画像および再構成部２２が再構成した断層画像の他、操作に必要なメッセージ等を表示する。記憶部２６は、Ｘ線撮影装置１０を動作させるために必要な各種パラメータおよびテーブル等を記憶している。
【００２９】
また、Ｘ線撮影装置１０は選択部２８を備える。選択部２８は、トモシンセシス撮影を行って複数の撮影画像を取得するに際し、Ｘ線管１２のみを移動させるモードと、Ｘ線管１２および検出器１４の双方を同期させて移動させるモードとのいずれかを選択し、選択結果に応じて、移動機構１６を駆動するとともに、移動機構１８を選択的に駆動する。
【００３０】
また、Ｘ線撮影装置１０は関心領域設定部３０を備える。操作者は、操作部２４を用いて、被写体２の深さ方向の撮影範囲（例えば撮影台天板４からの高さ）を設定し、深さ方向に直交する面内の範囲、すなわちＸ線が照射される照射領域をコリメータ６を用いて設定する。なお、照射領域を設定する際には、Ｘ線に代えて可視光がコリメータ６を介して被写体２に照射される。これにより、操作者は被写体２に照射された可視光の範囲をコリメータ６を用いて調整すれば、深さ方向に直交する面内のＸ線の照射領域を設定することができる。関心領域設定部３０は、操作者が操作部２４を用いて設定した被写体２の深さ方向の範囲、および操作者がコリメータ６を用いて設定した深さ方向に直交する面内の照射領域に基づいて、３次元状の関心領域を設定する。
【００３１】
さらに、Ｘ線撮影装置１０は、Ｘ線撮影装置１０の各部を制御するための制御部３２を備える。制御部３２は、操作部２４からの指示に応じてＸ線撮影装置１０の各部を制御する。
【００３２】
図３はコリメータの構成を示す平面図、図４はコリメータの構成を示す部分断面図である。なお、コリメータ６の断面は、被写体２の身長方向の断面と、身長方向に直交する断面とで構成が同一であるため、以降の説明において、断面図は被写体２の身長の方向に直交する断面（すなわち図３におけるＩ−Ｉ線断面図）を表すものとする。コリメータ６は、それぞれを独立して移動可能な複数の放射線調整部材４０ａ〜４０ｄを有している。放射線調整部材４０ａ〜４０ｄは、上述したように操作者の指示により図３における平面方向へ移動し、照射領域を設定するための開口４２の大きさを変更可能とされている。なお、図３における平面方向が被写体２の深さ方向に直交する方向と一致する。また、放射線調整部材４０ａ〜４０ｄは、開口４２を規定する端部から所定距離の位置に段部４１ａ〜４１ｄが形成されており、開口４２を規定する端部から所定範囲の部分（先端部分）の厚さが、他の部分よりも薄く形成されている。放射線調整部材４０ａ〜４０ｄの先端部分以外の部分は、Ｘ線を透過しない厚さを有し、先端部分は約５０％のＸ線透過率となるように厚さが設定されている。これにより、図４に示すように、コリメータ６の開口４２を通過したＸ線は被写体２に直接照射されてＸ線の照射領域Ａ１となり、照射領域Ａ１の外側に、照射領域Ａ１よりも少ない線量のＸ線が照射される。以降、照射領域Ａ１の周囲における少ないＸ線が照射される領域を低Ｘ線領域Ａ２とする。
【００３３】
被写体２の撮影時には、上述したようにマーカー３４が使用される。マーカー３４は再構成された断層画像を用いての診断には影響がない部位に配置される。しかしながら、マーカー３４は撮影画像を再構成するために撮影画像に含ませる必要があるため、診断には必要がないものの、被写体２上のマーカー３４が付与された部分にまでＸ線を照射する必要があり、その結果、被写体２の被曝量が多くなってしまう。
【００３４】
本実施形態においては、照射領域Ａ１の周囲に低Ｘ線領域Ａ２が存在するため、図４に示すように照射領域Ａ１を設定する際に照射領域Ａ１の外側のあらかじめ定められた領域内にマーカー３４を付与することにより、撮影画像にマーカー３４の像を含ませることができるとともに、被写体２におけるマーカー３４が付与された部分へのＸ線の照射量を低減することができる。なお、放射線調整部材４０ａ〜４０ｄの先端部分の距離はあらかじめ定められているため、撮影台天板４からの被写体２の厚さが分かれば、低Ｘ線領域Ａ２の存在範囲を決定することができる。したがって、被写体２における決定された低Ｘ線領域Ａ２内にマーカー３４を付与することにより、撮影画像にマーカー３４の像を含ませることができる。
【００３５】
なお、図５に示すように、放射線調整部材４０ａ〜４０ｄにおける開口４２の端部から段部４１ａ〜４１ｄまでの間において、Ｘ線が透過する最も外側の範囲となる位置に、貫通孔４２ａ〜４２ｄを形成してもよい。ここで、図５においては、貫通孔４２ａ，４２ｂのみを示す。これにより、可視光を用いて照射領域Ａ１を設定する際に、照射領域Ａ１の外側に貫通孔４２ａ〜４２ｄを透過した光４４ａ〜４４ｄが照射される。このように、貫通孔４２ａ〜４２ｄを透過した光は、低Ｘ線領域Ａ２の外側の縁部に対応することとなる。したがって、このように貫通孔４２ａ〜４２ｄを形成することにより、低Ｘ線領域Ａ２が認識しやすくなり、その結果、マーカー３４を低Ｘ線領域Ａ２に容易に配置することができる。
【００３６】
また、図６に示すように、放射線調整部材４０ａ〜４０ｄの断面形状を開口４２を規定する端部から離れるほど厚くなるくさび形としてもよい。また、図７に示すように、くさび形の部分を短くして、開口４２から一定距離以上離れるとＸ線を透過しないような一定の厚さを有するものとしてもよい。このように、放射線調整部材４０ａ〜４０ｄをくさび形とすることにより、照射領域Ａ１に近い位置にマーカー３４を配置すれば、Ｘ線の透過量が比較的多くなるため、撮影画像におけるマーカー３４を視認しやすくすることができる。
【００３７】
また、図８に示すように、コリメータ６を、第１の放射線調整部材４６ａ〜４６ｄと、第１の放射線調整部材４６ａ〜４６ｄとＸ線の照射方向に隣接する第２の放射線調整部材４８〜４８ｄとからなるものとし、第１の放射線調整部材４６ａ〜４６ｄと第２の放射線調整部材４８ａ〜４８ｄとを独立して移動可能なものとしてもよい。また、図９に示すように第２の放射線調整部材４８ａ〜４８ｄの断面形状を開口４２から離れるほど厚くなるくさび形としてもよい。なお、第２の放射線調整部材４８ａ〜４８ｄに代えて、第１の放射線調整部材４６ａ〜４６ｄの断面形状をくさび形としてもよい。これにより、低Ｘ線領域Ａ２の大きさを任意に変更することができる。
【００３８】
さらに、図１０に示すように、Ｘ線透過率が異なる２つの材料からなる放射線調整部材５０ａ〜５０ｄを用いてもよい。この場合、放射線調整部材５０ａ〜５０ｄの先端部分にＸ線透過率が５０％程度の材料５４ａ〜５４ｄを、先端部分以外の部分にＸ線透過率が０の材料５６ａ〜５６ｄを用いればよい。
【００３９】
次いで、本発明の第２の実施形態について説明する。図１１は本発明の第２の実施形態による放射線撮影装置を適用したＸ線撮影装置の概略図である。なお、第２の実施形態において第１の実施形態と同一の構成については同一の参照番号を付与し、ここでは詳細な説明は省略する。第２の実施形態によるＸ線撮影装置１０Ａは、マーカー３４を自身を特定するＩＤを記憶するＩＣタグを有するものとし、マーカー３４の位置を検出するマーカー位置検出部６０と、マーカー３４が低Ｘ線領域Ａ２にない場合に警告を行う警告部６２とを備え、さらに関心領域設定部３０Ａが、マーカー３４の位置の検出結果に基づいて、コリメータ６の放射線調整部材を駆動して、低Ｘ線領域Ａ２をマーカー３４の位置と対応させるようにした点が第１の実施形態と異なる。
【００４０】
ここで、トモシンセシス撮影を行う場合、Ｘ線管１２は直線または円弧に沿って所定距離ずつ移動する。このため、図１２に示すように、被写体２上のＸ線管１２が移動する矢印Ａ方向に延びる低Ｘ線領域Ａ２にマーカー３４を付与した場合、撮影が進むにつれて低Ｘ線領域Ａ２の位置が移動するが、マーカー３４が低Ｘ線領域Ａ２以外の領域に位置することはない。しかしながら、図１３に示すように、被写体２上のＸ線管１２が移動する矢印Ａ方向に直交する方向に延びる低Ｘ線領域Ａ２にマーカー３４を付与した場合、撮影が進むにつれて低Ｘ線領域Ａ２の位置が移動するため、マーカー３４が低Ｘ線領域Ａ２以外の領域に位置してしまう。
【００４１】
マーカー位置検出部６０は、撮影画像からマーカー３４の位置を検出する。マーカー３４は所定形状を有する金属からなるため、マーカー３４と同一形状のテンプレートを用いてのテンプレートマッチング等の手法により、撮影画像からマーカー３４を検出することができる。そして、マーカー位置検出部６０は、次に撮影を行うＸ線管１２の位置からＸ線を被写体２に向けて照射した場合に、現在のコリメータ６の放射線調整部材の位置での、Ｘ線の照射領域Ａ１および低Ｘ線領域Ａ２を演算により算出する。そして、現在のコリメータ６の放射線調整部材の位置において被写体２に放射線を照射した場合に、次回の撮影時にマーカー３４が低Ｘ線領域Ａ２に位置するか否かを判定する。そして、この判定が否定された場合、マーカー位置検出部６０は、警告部６２に対して警告を行う指示を行うとともに、コリメータ６の放射線調整部材を移動する指示を関心領域設定部３０Ａに対して行う。
【００４２】
警告部６２は、次回の撮影時にマーカー３４が低Ｘ線領域Ａ２に位置しない旨の情報を表示部２５に表示する。関心領域設定部３０Ａは、マーカー位置検出部６０からの指示より、マーカー３４が低Ｘ線領域Ａ２に位置するようにコリメータ６の放射線調整部材を移動する。これにより、次回の撮影時においては、マーカー３４は低Ｘ線領域Ａ２に位置することとなる。
【００４３】
なお、警告部６２が行う警告は、音声によるものまたは別途設けられた警告ランプによるものであってもよい。また、これらと表示部２５への表示とを組み合わせて用いてもよい。
【００４４】
このように、第２の実施形態においては、マーカー３４の位置を検出し、マーカー３４の位置に応じて、マーカー３４が低Ｘ線領域Ａ２に位置するように放射線調整部材を移動するようにしたため、マーカー３４の位置を低Ｘ線領域Ａ２に確実に位置させることができる。また、操作者の負担も軽減することができる。
【００４５】
また、マーカー３４が低Ｘ線領域Ａ２に位置しなくなる場合に警告を行うことにより、操作者はマーカー３４が低Ｘ線領域Ａ２にないことを知ることができる。したがって、マーカー３４が低Ｘ線領域Ａ２に位置するようにコリメータ６を調整することができ、その結果、マーカー３４が照射領域Ａ１に位置することによる、被写体２への不要なＸ線の照射を防止することができる。
【００４６】
なお、このようにしてマーカー３４の位置を検出する場合、１回目の撮影時においてはマーカー３４が低Ｘ線領域Ａ２に位置するか否かが分からない。このため、１回目の撮影時においては、操作者が操作部２４から指示を行い、マーカー３４が低Ｘ線領域Ａ２に位置するようにコリメータ６の放射線調整部材を移動させるようにすればよい。また、プレ撮影を行い、プレ撮影により取得されたプレ撮影画像からマーカー３４の位置を検出し、検出したマーカー３４の位置に基づいて、コリメータ６の放射線調整部材を移動させるようにしてもよい。
【００４７】
また、このようにしてマーカー３４の位置を検出するに際して、警告部６２による警告がなされた場合は、操作者からの指示によりコリメータ６の放射線調整部材を移動させるようにしてもよい。
【００４８】
また、上記第２の実施形態においては、撮影画像を用いてマーカー３４の位置を検出しているが、マーカー３４にＩＣタグまたは磁性体等の識別素子を付与し、識別素子の位置を検出することにより、マーカー３４の位置を検出するようにしてもよい。
【００４９】
図１４は識別素子を有するマーカー３４の位置の検出を説明するための図である。図１４に示すように、撮影台点板４の３つの角部に識別素子を検出するための電磁波を発するアンテナ６４Ａ〜６４Ｃが設置されている。アンテナ６４Ａ〜６４Ｃからは、電磁波が常時発せられているか、または操作者が指示することにより電磁波が発せられ、マーカー３４に設けられた識別素子のアンテナ６４Ａ〜６４Ｃからの距離および方向を検出可能となっている。このため、識別素子を有するマーカー３４が付与された被写体２が撮影台点板４に載ると、アンテナ６４Ａ〜６４Ｃはマーカー３４の各アンテナ６４Ａ〜６４Ｃからの距離および方向を検出し、マーカー３４の距離および方向の情報をマーカー位置検出部６０に出力する。
【００５０】
マーカー位置検出部６０は、マーカー３４の各アンテナ６４Ａ〜６４Ｃからの距離および方向の情報を用いて、三角測量の原理により、撮影台点板４上におけるマーカー３４の位置を検出する。そして、関心領域設定部３０Ａが、マーカー位置検出部６０が検出したマーカー３４の位置と低Ｘ線領域Ａ２とが一致するように、コリメータ６の放射線調整部材を駆動する。
【００５１】
なお、上記実施形態においては、本発明をトモシンセシス撮影装置に適用しているが、これに限定されるものではなく、複数枚の撮影画像を用いて断層画像を再構成する他の断層撮影を行う撮影装置にも本発明を適用できる。また、同一被写体に対してエネルギーが異なるＸ線を照射してエネルギーが異なる２つのＸ線画像を得、これらに基づいてＸ線画像中の特定の構造物を抽出するいわゆるエネルギーサブトラクションを行う場合にも、位置合わせのためにマーカー３４を使用して撮影を行うものである。したがって、エネルギーサブトラクション撮影を行う撮影装置にも本発明を適用できることはもちろんである。
【００５２】
また、上記第１の実施形態においては、開口４２を変更可能としているが、開口４２のサイズが一定、すなわちサイズを変更不可能なコリメータ６を用いてもよい。
【符号の説明】
【００５３】
２    被写体
４    撮影台天板
６    コリメータ
１０，１０Ａ    Ｘ線撮影装置
１２    Ｘ線管
１４    検出器
１６，１８    移動機構
２０    画像取得部
２２    再構成部
２４    操作部
２５    表示部
２６    記憶部
２８    選択部
３０，３０Ａ    関心領域設定部
３２    制御部
３４    マーカー
４０ａ〜４０ｄ  放射線調整部材
６０    マーカー位置検出部
６２    警告部
【図１】
2011188972.tif 000003
【図２】
2011188972.tif 000004
【図３】
2011188972.tif 000005
【図４】
2011188972.tif 000006
【図５】
2011188972.tif 000007
【図６】
2011188972.tif 000008
【図７】
2011188972.tif 000009
【図８】
2011188972.tif 000010
【図９】
2011188972.tif 000011
【図１０】
2011188972.tif 000012
【図１１】
2011188972.tif 000013
【図１２】
2011188972.tif 000014
【図１３】
2011188972.tif 000015
【図１４】
2011188972.tif 000016